(57)【要約】【課題】壁の外観が損なわれるのを抑制しながら、安定した歩行補助を実現することができる建物の手摺構造を提供する。【解決手段】建物１０には廊下１１が設けられている。廊下１１は、間仕切壁１３によって居室１５と仕切られている。間仕切壁１３における所定の高さ範囲には、廊下１１側に張り出した張出部３５が設けられている。張出部３５は、間仕切壁１３の幅方向に延びるように形成されており、その張出部３５上に手摺として用いられる笠木４９が取り付けられている。張出部３５の下端部と床面２５との間には廊下１１側に開口する凹部３６が形成されている。【選択図】      図１
2015209644.tif 000002
【特許請求の範囲】
【請求項１】
屋内空間に面して設けられた壁部を備え、
前記壁部における所定の高さ範囲には前記屋内空間側に張り出した張出部が設けられており、
前記張出部は、前記壁部の幅方向に延びるように形成されており、
前記張出部上には手摺として用いられる手摺部材が取り付けられていることを特徴とする建物の手摺構造。
【請求項２】
前記壁部は、前記屋内空間に面して設けられた壁面材と、その壁面材の裏面側に設けられた下地フレームとを備え、
前記壁面材として、前記張出部とは異なる部位に配置された第１壁面材と、前記張出部に配置された第２壁面材とを有しており、
前記第１壁面材は、前記下地フレームに固定されており、
前記下地フレームと前記第２壁面材との間には、当該第２壁面材の上端部及び下端部に沿ってそれぞれ延びる一対の横材が設けられており、
前記各横材はそれぞれ前記下地フレームに固定されているとともに、それら各横材にそれぞれ前記第２壁面材が固定されており、
前記手摺部材は、上側の前記横材の上面に取り付けられていることを特徴とする請求項１に記載の建物の手摺構造。
【請求項３】
前記各横材の間には、それら横材同士を上下に繋ぐ複数の縦材が設けられていることを特徴とする請求項２に記載の建物の手摺構造。
【請求項４】
前記張出部は、その下端部が前記屋内空間の床面から上方に離間しており、
前記床面と前記張出部の下端部との間には、前記屋内空間側に開口する凹部が形成されていることを特徴とする請求項１乃至３のいずれか一項に記載の建物の手摺構造。
【請求項５】
前記壁部において前記張出部が設けられた前記所定の高さ範囲には物品を収容可能な収容部が設けられていることを特徴とする請求項１乃至４のいずれか一項に記載の建物の手摺構造。
【請求項６】
前記壁部は、前記屋内空間に面して設けられた壁面材と、その壁面材の裏面側に設けられた下地フレームとを備え、
前記壁面材として、前記張出部とは異なる部位に配置された第１壁面材と、前記張出部に配置された第２壁面材とを有しており、
前記第１壁面材は、前記下地フレームに固定されており、
前記下地フレームと前記第２壁面材との間には、当該下地フレームに固定されているとともに当該第２壁面材が固定された張出フレームが設けられており、
前記手摺部材は、前記張出フレーム上に取り付けられており、
前記収容部は、前記張出フレームを構成する複数のフレーム材のうち隣り合う２つのフレーム材の間に挟み込まれるように配置され、それら各フレーム材にそれぞれ固定されていることを特徴とする請求項５に記載の建物の手摺構造。
【発明の詳細な説明】
【技術分野】
【０００１】
本発明は、建物の手摺構造に関する。
【背景技術】
【０００２】
住宅等の建物では、高齢者や下肢障害者等の歩行を補助するために、廊下等の壁面に手摺が取り付けられている場合がある（例えば特許文献１参照）。この種の壁付けの手摺は、壁幅方向に沿った長尺状をなしており、壁から突出した状態で取り付けられている。
【先行技術文献】
【特許文献】
【０００３】
【特許文献１】特開２００４−２８５７４０号公報
【発明の概要】
【発明が解決しようとする課題】
【０００４】
ところで、建物内で手摺を使って歩行する際には、自らの体重を手摺に預けながら歩行する場合が考えられる。その場合、歩行者の体重が手摺に対して作用することになるが、手摺が壁面から突出して取り付けられる上述の手摺構造では、歩行者が自らの体重を手摺に大きく預ける等して手摺に過大な荷重が作用した場合に、手摺が壁から外れたり手摺が下方に変形したりする等の不具合が生じる懸念がある。そのため、上述の手摺構造は、安定した歩行補助の点で不安を残すものとなっている。
【０００５】
また、壁面から手摺が突出して取り付けられる上述の手摺構造では、手摺により壁の外観が損なわれるという問題もある。
【０００６】
本発明は、上記事情に鑑みてなされたものであり、壁の外観が損なわれるのを抑制しながら、安定した歩行補助を実現することができる建物の手摺構造を提供することを主たる目的とするものである。
【課題を解決するための手段】
【０００７】
上記課題を解決すべく、第１の発明の建物の手摺構造は、屋内空間に面して設けられた壁部を備え、前記壁部における所定の高さ範囲には前記屋内空間側に張り出した張出部が設けられており、前記張出部は、前記壁部の幅方向に延びるように形成されており、前記張出部上には手摺として用いられる手摺部材が取り付けられていることを特徴とする。
【０００８】
本発明によれば、壁部における所定の高さ範囲に屋内空間側に張り出した張出部が設けられ、その張出部上に手摺部材が取り付けられている。この場合、手摺部材に歩行者の体重が作用すると、その荷重が張出部ひいては壁部によって支えられる。そのため、歩行者の体重を安定した状態で支えることができ、安定した歩行補助を実現することができる。また、手摺部材が壁部の張出部上に取り付けられているため、壁面から突出した状態で取り付けられる従来の壁付けの手摺と比べて、手摺と壁との一体感を高めることができる。そのため、壁の外観が損なわれるのを抑制しながら、安定した歩行補助を実現することができる。
【０００９】
第２の発明の建物の手摺構造は、第１の発明において、前記壁部は、前記屋内空間に面して設けられた壁面材と、その壁面材の裏面側に設けられた下地フレームとを備え、前記壁面材として、前記張出部とは異なる部位に配置された第１壁面材と、前記張出部に配置された第２壁面材とを有しており、前記第１壁面材は、前記下地フレームに固定されており、前記下地フレームと前記第２壁面材との間には、当該第２壁面材の上端部及び下端部に沿ってそれぞれ延びる一対の横材が設けられており、前記各横材はそれぞれ前記下地フレームに固定されているとともに、それら各横材にそれぞれ前記第２壁面材が固定されており、前記手摺部材は、上側の前記横材の上面に取り付けられていることを特徴とする。
【００１０】
本発明によれば、壁部において屋内空間に面して設けられた壁面材のうち、張出部とは異なる部位に配置された第１壁面材が下地フレームに固定されている一方、張出部に配置された第２壁面材と下地フレームとの間に上下一対の横材が設けられている。これらの横材はいずれも下地フレームに固定され、それら各横材に対して第２壁面材が固定されている。そして、それら各横材のうち上側の横材の上面に手摺部材が取り付けられている。この場合、手摺部材に作用する歩行者の荷重が上側の横材ひいては下地フレームによって支えられる。下地フレームは壁部の骨組みを構成する比較的高強度の部材であるため、この場合、歩行者の荷重を安定した状態で支持することが可能となる。
【００１１】
第３の発明の建物の手摺構造は、第２の発明において、前記各横材の間には、それら横材同士を上下に繋ぐ複数の縦材が設けられていることを特徴とする。
【００１２】
本発明によれば、上下に配された各横材が複数の縦材を介して一体化されている。この場合、上下の各横材及び複数の縦材によってフレームが構成され、そのフレームが上下の各横材において下地フレームに固定されている。これにより、当該フレームが下地フレームに対して強固に固定されるため、当該フレーム（詳しくは上側の横材）の上に取り付けられた手摺部材に作用する歩行者の荷重をより一層安定した状態で支持することができる。
【００１３】
第４の発明の建物の手摺構造は、第１乃至第３のいずれかの発明において、前記張出部は、その下端部が前記屋内空間の床面から上方に離間しており、前記床面と前記張出部の下端部との間には、前記屋内空間側に開口する凹部が形成されていることを特徴とする。
【００１４】
ところで、歩行が困難な高齢者等は手摺部材を利用して歩行するだけでなく、車椅子に乗って屋内空間を移動することも考えられる。ここで、屋内空間が廊下等の幅狭の空間である場合に、上述のように壁部に張出部が設けられていると、屋内空間で車椅子を回旋させる際にフットレストの部分が張出部に干渉し回旋できなくなるおそれがある。そこで本発明では、この点に鑑みて、張出部の下端部を屋内空間の床面から上方に離間させることで、張出部の下端部と床面との間に凹部を形成している。これにより、屋内空間で車椅子を回施させる際にはフットレストを凹部に入り込ませて回施させることができるため、壁部に張出部が設けられた構成にあっても、車椅子を好適に利用することができる。
【００１５】
第５の発明の建物の手摺構造は、第１乃至第４のいずれかの発明において、前記壁部において前記張出部が設けられた前記所定の高さ範囲には物品を収容可能な収容部が設けられていることを特徴とする。
【００１６】
壁部において張出部が設けられた部位は他の部位と比べて壁厚が大きくなっている。そこで本発明では、この壁厚の部分を利用して物品を収容可能な収容部を設けている。この場合、張出部（壁厚部分）を手摺として利用することに加え、収容部の配設部位としても利用することができる。そのため、張出部の有効利用を図ることができる。
【００１７】
第６の発明の建物の手摺構造は、第５の発明において、前記壁部は、前記屋内空間に面して設けられた壁面材と、その壁面材の裏面側に設けられた下地フレームとを備え、前記壁面材として、前記張出部とは異なる部位に配置された第１壁面材と、前記張出部に配置された第２壁面材とを有しており、前記第１壁面材は、前記下地フレームに固定されており、前記下地フレームと前記第２壁面材との間には、当該下地フレームに固定されているとともに当該第２壁面材が固定された張出フレームが設けられており、前記手摺部材は、前記張出フレーム上に取り付けられており、前記収容部は、前記張出フレームを構成する複数のフレーム材のうち隣り合う２つのフレーム材の間に挟み込まれるように配置され、それら各フレーム材にそれぞれ固定されていることを特徴とする。
【００１８】
本発明によれば、下地フレームに対して張出フレームが固定されているため、張出フレームを下地フレームに強固に一体化させることができる。そして、その張出フレーム上に手摺部材が取り付けられているため、手摺部材に作用する歩行者の荷重を安定した状態で支持することができる。また、かかる構成にあって、収容部が張出フレームにおける隣り合うフレーム材の間に挟み込まれるように配置され、その配置状態でそれら各フレーム材にそれぞれ固定されているため、収容部を壁部に安定した状態で設けることができる。
【図面の簡単な説明】
【００１９】
【図１】建物における廊下周辺の構成を示す縦断面図。
【図２】間仕切壁の構成を示す正面図。
【図３】（ａ）が間仕切壁における収容部周辺を示す正面図であり、（ｂ）が（ａ）のＡ−Ａ線断面図であり、（ｃ）が（ａ）のＢ−Ｂ線断面図である。
【図４】トイレに面した間仕切壁の構成を示す正面図。
【図５】笠木の別形態を示す縦断面図。
【発明を実施するための形態】
【００２０】
以下に、本発明を具体化した一実施の形態について図面を参照しつつ説明する。本実施形態では、建物内の廊下に面して設けられた間仕切壁に本発明の手摺構造を適用している。なお、図１は建物における廊下周辺の構成を示す縦断面図である。
【００２１】
図１に示すように、住宅等の建物１０には廊下１１が設けられており、廊下１１を挟んだ両側には間仕切壁１２，１３が設けられている。これら各間仕切壁１２，１３は廊下１１を挟んで対向配置されている。間仕切壁１２は、廊下１１を居室１４と仕切っており、間仕切壁１３は、廊下１１を居室１５と仕切っている。なお、廊下１１が屋内空間に相当し、間仕切壁１３が壁部に相当する。
【００２２】
間仕切壁１２は、下地フレーム１６と、その下地フレーム１６を挟んだ両側にそれぞれ設けられた壁面材１７，１８とを備える。下地フレーム１６は、上下一対のランナ２１，２２と、それら両ランナ２１，２２間に所定の間隔で設けられた複数のスタッド２３とを有している。上下の各ランナ２１，２２はいずれも軽量溝形鋼よりなり、互いの溝部を上下に向き合わせた状態で配置されている。上側のランナ２１は天井面２４に対してビス等で固定され、下側のランナ２２は床面２５に対してビス等で固定されている。スタッド２３は軽量角形鋼管よりなる。スタッド２３は、その上端部が上側ランナ２１の溝部に挿し入れられた状態で同ランナ２１にビス等で固定され、その下端部が下側ランナ２２の溝部に挿し入れられた状態で同ランナ２２にビス等で固定されている。
【００２３】
壁面材１７，１８は、不燃性能を有する石膏ボードよりなる。各壁面材１７，１８のうち、壁面材１７が下地フレーム１６の廊下１１側に設けられ、壁面材１８が下地フレーム１６の居室１４側に設けられている。それら各壁面材１７，１８はそれぞれ下地フレーム１６にビス等で固定されている。なお、各壁面材１７，１８の表面には、クロス等の壁仕上げ材（図示略）が貼り付けられている。
【００２４】
続いて、間仕切壁１３の構成について図１に加え図２に基づいて説明する。図２は間仕切壁１３の構成を示す正面図である。
【００２５】
図１及び図２に示すように、間仕切壁１３は、間仕切壁１２と同様、下地フレーム２６と、その下地フレーム２６を挟んだ両側にそれぞれ設けられた壁面材２７，２８とを備える。下地フレーム２６は、下地フレーム１６と同様、上下一対のランナ３１，３２と、それら両ランナ３１，３２間に所定の間隔で設けられた複数のスタッド３３とを有している。上下の各ランナ３１，３２はいずれも軽量溝形鋼よりなり、互いの溝部を上下に向き合わせた状態で配置されている。上側のランナ３１は天井面２４に対してビス等で固定され、下側のランナ３２は床面２５に対してビス等で固定されている。スタッド３３は軽量角形鋼管よりなる。スタッド３３は、その上端部が上側ランナ３１の溝部に挿し入れられた状態で同ランナ３１にビス等で固定され、その下端部が下側ランナ３２の溝部に挿し入れられた状態で同ランナ３２にビス等で固定されている。
【００２６】
壁面材２７，２８は、不燃性能を有する石膏ボードよりなる。各壁面材２７，２８のうち、壁面材２７が下地フレーム２６の廊下１１側に設けられ、壁面材２８が下地フレーム２６の居室１５側に設けられている。それら各壁面材２７，２８はそれぞれ横並びに複数ずつ設けられ、下地フレーム２６に対してビス等で固定されている。なお、各壁面材２７，２８の表面には、クロス等の壁仕上げ材（図示略）が貼り付けられている。また、壁面材２７と、その壁面材２７に貼り付けられた壁仕上げ材とを含んで第１壁面材が構成されている。
【００２７】
間仕切壁１３には、高さ方向（上下方向）の一部に他の部位と比べて廊下１１側に張り出した張出部３５が設けられている。張出部３５は、間仕切壁１３の幅方向（横幅方向）に延びるように形成されており、詳しくは間仕切壁１３の幅方向全域に亘って連続して形成されている。なお、間仕切壁１３には、張出部３５以外に廊下１１側に張り出す張出部位が設けられていない。
【００２８】
張出部３５は、間仕切壁１３の下部における所定の高さ範囲に形成されている。具体的には、張出部３５は、その上端部が床面２５から７５０〜８５０ｍｍ上方の位置に設定され、その下端部が床面２５から２５０ｍｍ上方の位置に設定されている。この場合、張出部３５の下端部は床面２５から上方に離間しており、それにより床面２５と張出部３５の下端部との間には廊下１１側に開口する凹部３６が形成されている。この凹部３６は、張出部３５の長手方向（換言すると間仕切壁１３の幅方向）に沿って延びており、詳しくは張出部３５の長手方向全域に亘って延びている。本実施形態では、この凹部３６に照明装置３７が配設され、この照明装置３７が常夜灯として利用されるようになっている。なお、図２では便宜上、照明装置３７の図示を省略している。
【００２９】
また、間仕切壁１３において張出部３５が設けられている上記所定の高さ範囲では、壁厚がそれ以外の部位と比べて大きくなっている。そのため、以下においては、その壁厚が大きくされた部位を壁厚部分１３ａともいう。
【００３０】
下地フレーム２６の廊下１１側には、張出部３５の一部を構成する張出フレーム４１が固定されている。張出フレーム４１は、壁面材２７よりも廊下１１側に張り出して設けられている。張出フレーム４１は、その上下の端部に配置された一対のランナ４２，４３と、それら各ランナ４２，４３間に所定の間隔で設けられた複数のスタッド４４とを有している。なお、この場合、各ランナ４２，４３がそれぞれ横材に相当し、スタッド４４が縦材に相当する。また、各ランナ４２，４３及びスタッド４４がそれぞれフレーム材に相当する。
【００３１】
上下の各ランナ４２，４３はいずれも軽量溝形鋼よりなり、互いの溝部を上下に向き合わせた状態で配置されている。各ランナ４２，４３はそれぞれ下地フレーム２６の各スタッド３３に対してビス等で固定されている。スタッド４４は軽量角形鋼管よりなる。スタッド４４は、その上端部が上側のランナ４２の溝部に挿し入れられた状態で同ランナ４２にビス等で固定され、その下端部が下側のランナ４３の溝部に挿し入れられた状態で同ランナ４３にビス等で固定されている。各スタッド４４は、ランナ４２，４３の長手方向（間仕切壁１３の幅方向）において下地フレーム２６の各スタッド３３と同位置に配置されている。この場合、スタッド４４とスタッド３３とは間仕切壁１３の厚み方向に対向して配置されている。また、本実施形態では、各スタッド４４をそれぞれスタッド３３に対してビス等で固定してはいないが、固定するようにしてもよい。
【００３２】
下地フレーム２６の廊下１１側では、張出フレーム４１が設けられていることで、壁面材２７が張出フレーム４１を挟んだ上下両側に分割して配置されている。つまり、張出フレーム４１の上方には壁面材２７ａが配置され、張出フレーム４１の下方には壁面材２７ｂが配置されている。この場合、壁面材２７ａの下端部が張出フレーム４１（詳しくはランナ４２）の上面に当接し、壁面材２７ｂの上端部が張出フレーム４１（詳しくはランナ４３）の下面に当接している。
【００３３】
張出フレーム４１の廊下１１側には壁面材４６が設けられている。壁面材４６は、壁面材２７，２８と同じ石膏ボードよりなる。壁面材４６は、その高さ寸法（上下寸法）が張出フレーム４１の高さ寸法と略同じとなっており、詳しくは張出フレーム４１の高さ寸法よりも若干大きくなっている。壁面材４６は横並びに複数設けられている。壁面材４６は、張出フレーム４１の各ランナ４２，４３に上下に跨がって配置され、それら各ランナ４２，４３に対して廊下１１側からビス等で固定されている。この壁面材４６の固定状態において、壁面材４６の上端部と張出フレーム４１（詳しくは上側のランナ４２）の上面とは同じ高さ位置に設定されている。
【００３４】
なお、壁面材４６の表面には、クロス等の壁仕上げ材（図示略）が貼り付けられている。この壁仕上げ材と壁面材４６とを含んで第２壁面材が構成されている。また、この壁面材４６（詳しくは壁仕上げ材も含む）と、張出フレーム４１における壁面材２７よりも廊下１１側に張り出した部位とによって張出部３５が構成されている。
【００３５】
壁面材４６の下端部と壁面材２７ｂの上端部との間には、それら両者２７ｂ，４６を短く繋ぐ繋ぎ材４７が設けられている。繋ぎ材４７は、壁面材４６と同じ石膏ボードよりなる。繋ぎ材４７は、下側のランナ４３の下面にビス等で固定されている。
【００３６】
張出部３５上には、手摺部材としての笠木４９が設けられている。笠木４９は、木材により長尺平板状に形成され、張出フレーム４１における上側のランナ４２の上面に接着剤により固定されている。具体的には、笠木４９は、幅方向の一端部を壁面材２７ａに当接させた状態で、かつ、他端部を壁面材４６よりも若干廊下１１側に突出させた状態でランナ４２上に固定されている。なお、笠木４９は必ずしも接着材により固定する必要はなく、ビスや釘等で固定してもよい。
【００３７】
このように笠木４９が張出部３５上に取り付けられていることで、廊下１１を歩行する際は笠木４９を手摺として利用することが可能となっている。また、張出部３５上への笠木４９の取り付け状態では笠木４９の上面が平坦面となっているため、笠木４９の上面で手や肘を支えながら歩行（伝い歩き）することが可能となっている。なお、笠木４９の上面が平坦面になっている点からすれば、笠木４９を平手摺ということもできる。
【００３８】
間仕切壁１３の壁厚部分１３ａには物品を収容可能な収容部５１が配設されている。収容部５１は、壁厚部分１３ａの厚みと略同じ長さを有する四角筒状に形成されている。収容部５１は、その両端の開口をそれぞれ廊下１１側及び居室１５側に向けて配設されている。また、収容部５１は、張出フレーム４１における隣り合うスタッド４４の間及び、下地フレーム２６における隣り合うスタッド３３の間に挟み込まれるように配設されており、その配設状態において両側の側板部５１ａがそれぞれ各スタッド３３，４４にビス等で固定されている。なお、収容部５１（側板部５１ａ）は、必ずしも各フレーム２６，４１のスタッド３３，４４に固定する必要はなく、例えば張出フレーム４１のスタッド４４にのみ固定するようにしてもよい。
【００３９】
各壁面材２８，４６にはそれぞれ、収容部５１に対応する部位に開口部５２，５３が形成されている。この場合、壁面材４６に形成された開口部５２を介して廊下１１から収容部５１に物品を収容することができ、壁面材２８に形成された開口部５３を介して居室１５から収容部５１に物品を収容することができる。したがって、この収容部５１には廊下１１からも居室１５からも物品を収容することが可能となっている。
【００４０】
以上、詳述した本実施形態の構成によれば、以下の優れた効果が得られる。
【００４１】
間仕切壁１３における所定の高さ範囲に廊下１１側に張り出した張出部３５を設け、その張出部３５上に手摺として用いられる笠木４９を取り付けた。この場合、笠木４９に歩行者の体重が作用すると、その荷重が張出部３５ひいては間仕切壁１３によって支えられる。そのため、歩行者の体重を安定した状態で支えることができ、安定した歩行補助を実現することができる。また、笠木４９が間仕切壁１３の張出部３５上に取り付けられているため、壁面から突出した状態で取り付けられる従来の壁付けの手摺と比べて、手摺と間仕切壁１３との一体感を高めることができる。そのため、間仕切壁１３の外観が損なわれるのを抑制しながら、安定した歩行補助を実現することができる。
【００４２】
張出部３５において廊下１１に面して配置された壁面材４６（詳しくはその表面の壁仕上げ材を含む）と下地フレーム２６との間に上下一対のランナ４２，４３を配設し、それら各ランナ４２，４３をそれぞれ下地フレーム２６に固定するとともにそれら各ランナ４２，４３に壁面材４６を固定した。そして、上側のランナ４２の上面に笠木４９を取り付けた。この場合、笠木４９に作用する歩行者の荷重は上側のランナ４２ひいては下地フレーム２６によって支えられる。ここで、下地フレーム２６は間仕切壁１３の骨組みを構成する比較的高強度の部材であるため、この場合、歩行者の荷重を安定した状態で支持することが可能となる。
【００４３】
具体的には、上下の各ランナ４２，４３の間にそれらランナ４２，４３同士を上下に繋ぐ複数のスタッド４４を所定間隔で配設した。この場合、上下の各ランナ４２，４３と複数のスタッド４４とにより張出フレーム４１が構成され、その張出フレーム４１が上下の各ランナ４２，４３において下地フレーム２６に固定される。これにより、張出フレーム４１が下地フレーム２６に対して強固に固定されるため、その張出フレーム４１（詳しくは上側のランナ４２）上に取り付けられる笠木４９に作用する歩行者の荷重をより一層安定した状態で支持することができる。
【００４４】
ところで、歩行の困難な高齢者等は笠木４９を用いて廊下１１を歩行するだけでなく、車椅子に乗って廊下１１を移動する場合も考えられる。そこで、上記の実施形態では、この点に鑑みて、張出部３５の下端部を廊下１１の床面２５から上方に離間させることで、床面２５と張出部３５の下端部との間に廊下１１側に開口した凹部３６を形成した。これにより、例えば廊下１１で車椅子を回施させる際にはフットレストを凹部３６に入り込ませて回施させることができる。そのため、幅狭の廊下１１に面した間仕切壁１３に張出部３５を設けた構成にあっても、車椅子を廊下１１において好適に利用することができる。
【００４５】
間仕切壁１３において張出部３５が設けられた所定の高さ範囲、換言すると間仕切壁１３において張出部３５が設けられているが故に壁厚とされた部分（壁厚部分１３ａ）に物品を収容可能な収容部５１を設けた。この場合、張出部３５を手摺として利用することに加えて、収容部５１の配設部位としても利用することができるため、張出部３５の有効利用を図ることができる。
【００４６】
収容部５１を隣り合うスタッド４４の間に挟み込まれるように配置し、その配置状態でそれら各スタッド４４にそれぞれ固定した。これにより、収容部５１を間仕切壁１３に対して安定した状態で固定することができる。そのため、例えば収容部５１に比較的重量の大きい物品を収容することが可能となる。また、収容部５１を、さらに隣り合うスタッド３３の間に挟み込まれるように配置し、それら各スタッド３３にそれぞれ固定したため、収容部５１を間仕切壁１３に対してより安定した状態で固定することができる。
【００４７】
張出フレーム４１の各スタッド４４をそれぞれ下地フレーム２６のスタッド３３と間仕切壁１３の厚み方向に対向させて配置した。この場合、張出フレーム４１上の笠木４９からスタッド４４に作用する歩行者の荷重をスタッド３３により受けることができるため、張出フレーム４１を構成するランナ４２，４３及びスタッド４４に求められる剛性（強度）を小さくすることができる。そのため、ランナ４２，４３及びスタッド４４として、特段高強度のものを用いる必要はなく、部材コストの低減等の効果を得ることが可能となる。また、収容部５１を、隣り合うスタッド４４間及び隣り合うスタッド３３間に跨がって配設する上で、収容部５１の幅寸法を隣り合うスタッド４４間の間隔まで大きくすることができる利点もある。
【００４８】
張出部３５を構成する張出フレーム４１を、下地フレーム２６と同様、軽量鉄骨材からなるフレーム材（具体的にはランナ４２，４３及びスタッド４４）により構成したため、比較的容易に張出部３５（ひいては間仕切壁１３）を施工することができる。
【００４９】
本発明は上記実施形態に限らず、例えば次のように実施されてもよい。
【００５０】
（１）例えば図３に示すように、収容部６１をコンセント６２を収容するために利用してもよい。なお、図３において（ａ）は間仕切壁１３における収容部６１周辺を示す正面図であり、（ｂ）が（ａ）のＡ−Ａ線断面図であり、（ｃ）が（ａ）のＢ−Ｂ線断面図である。図３（ａ）〜（ｃ）では、間仕切壁１３における壁厚部分１３ａに２つの収容部６１ａ，６１ｂが配設されている。これら各収容部６１ａ，６１ｂはいずれも一側面が開口された四角箱状に形成されており、壁厚部分１３ａにおいて開口部を廊下１１に向けた状態で配置されている。各収容部６１ａ，６１ｂは、スタッド４４を挟んで横並びに隣り合って配置されている。また、各収容部６１ａ，６１ｂは、隣り合うスタッド４４の間に挟み込まれた状態で配設され、それら各スタッド４４にビス等で固定されている。なお、本例の収容部６１ａ，６１ｂは、上記実施形態の収容部５１とは異なり、壁厚部分１３ａにおいて概ね張出部３５にのみ配設されている。
【００５１】
各収容部６１ａ，６１ｂにはそれぞれコンセント６２が設けられている。収容部６１ａには、その奥板部にコンセント６２が取り付けられており、収容部６１ｂには、その下板部にコンセント６２が取り付けられている。この場合、コンセント６２にプラグ６３を差し込んで利用する際、そのプラグ６３を収容部６１ａ，６１ｂ内に収容することができる。
【００５２】
なお、収容部６１に、コンセント６２に代えて、スイッチを設けたりリモコンを設けたりしてもよい。
【００５３】
（２）上記実施形態では、廊下１１（屋内空間に相当）に面した間仕切壁１３に本発明の手摺構造を適用したが、トイレや玄関等他の屋内空間に面した壁部に本発明の手摺構造を適用してもよい。図４には、トイレ６５に面した間仕切壁６６に本発明の手摺構造を適用した場合の例が示されている。この例によれば、トイレ６５へ出入りする際に、間仕切壁６６の張出部７０上に設けられた笠木６９を用いて出入りすることができる。また、図４では、間仕切壁６６の壁厚部分６６ａに設けられた収容部６７にトイレットペーパを取り付けるためのペーパホルダ６８が収容されている。
【００５４】
（３）上記実施形態では、収容部５１を、張出フレーム４１を構成する隣り合うスタッド４４（フレーム材に相当）の間に挟み込まれるように配置し、それら各スタッド４４に対してそれぞれ固定したが、これを変更してもよい。例えば、収容部が縦長形状である場合に、その収容部を、張出フレーム４１を構成する隣り合うランナ４２，４３（フレーム材に相当）の間に上下に挟み込まれるように配置し、それら各ランナ４２，４３に対してそれぞれ固定するようにしてもよい。この場合にも、収容部５１を間仕切壁１３に対して安定した状態で固定することができる。
【００５５】
（４）上記実施形態では、ランナ４２，４３を上下に一対のみ設けたが、これら各ランナ４２，４３に加えてさらに、各ランナ４２，４３の中間位置にランナを設けてもよい。また、上記実施形態では、ランナ４２，４３同士を上下に繋ぐスタッド４４を下地フレーム２６のスタッド３３と同じ間隔（ピッチ）で設けたが、これらスタッド４４の間隔は必ずしもスタッド３３の間隔と同じである必要はなく、例えばスタッド３３の間隔よりも大きくしてもよい。さらに、各ランナ４２，４３の間にスタッド４４を設けないようにしてもよい。
【００５６】
（５）上記実施形態では、長尺平板状の笠木４９を用いたが、笠木４９の形状は必ずしもこれに限らない。例えば図５に示す笠木６９は、平板部６９ａとその平板部６９ａの先端部に設けられた丸棒状の掴み部６９ｂとを有して形成されている。この場合、笠木６９は掴み部６９ｂが張出部３５よりも廊下１１側に位置した状態で張出フレーム４１（ランナ４２）上に取り付けられている。この笠木６９によれば、平板部６９ａ上にて手を摺らせながら歩行できることに加え、掴み部６９ｂをつかみながら歩行することもできる。そのため、手摺としての機能にバリエーションをもたせることができる。
【００５７】
また、上記実施形態では、笠木４９を木製としたが、これを変更して樹脂製や金属製としてもよい。
【００５８】
（６）上記実施形態では、廊下１１を居室１５と仕切る間仕切壁１３に本発明の手摺構造を適用したが、例えば廊下１１が外壁部により屋外と仕切られている場合に、その外壁部に対して本発明の手摺構造を適用してもよい。この場合にも、外壁部に廊下１１側に張り出す張出部を設け、その張出部上に手摺部材を取り付ければよい。なお、かかる場合には、外壁部が「屋内空間に面して設けられた壁部」に相当する。
【符号の説明】
【００５９】
１０…建物、１１…屋内空間としての廊下、１３…壁部としての間仕切壁、２６…下地フレーム、２７…壁面材、３５…張出部、３６…凹部、４１…張出フレーム、４２…横材及びフレーム材としてのランナ、４３…横材及びフレーム材としてのランナ、４４…縦材及びフレーム材としてのスタッド、４６…壁面材、４９…手摺部材としての笠木、５１…収容部。
【図１】
2015209644.tif 000003
【図２】
2015209644.tif 000004
【図３】
2015209644.tif 000005
【図４】
2015209644.tif 000006
【図５】
2015209644.tif 000007